(57)【要約】【課題】身体支持体が身体支持表面に形成された溝に沿って変形可能に構成されている椅子において、表皮材とクッション材との剥離を抑制する。【解決手段】椅子は、背クッション材３１の表面に背表皮材３２が被覆された身体支持体としての背クッション体２４を備えている。背クッション体２４は人の身体の当たる側の身体支持表面３３に形成された溝３０に沿って屈曲可能に構成されている。背クッション体２４の外周部３４に、溝３０の端部３０ａを塞ぐ壁部３５が形成されている。【選択図】図６
2019083959.tif 000002
【特許請求の範囲】
【請求項１】
クッション材の表面に表皮材が被覆された身体支持体を備え、前記身体支持体は人の身体の当たる側の身体支持表面に形成された溝に沿って変形可能に構成されている椅子であって、
前記身体支持体の外周部に、前記溝の端部を塞ぐ壁部が形成されている椅子。
【請求項２】
前記壁部の壁頂部は、前記身体支持表面と面一に形成されている請求項１に記載の椅子。
【請求項３】
前記溝の前記端部は、前記壁部に向かって徐々に浅く形成されている請求項１又は２に記載の椅子。
【請求項４】
前記表皮材は、皮革で形成されている請求項１から３のいずれか一項に記載の椅子。
【請求項５】
前記クッション材と前記表皮材は、インサート成形によって接着されている請求項１から４のいずれか一項に記載の椅子。
【発明の詳細な説明】
【技術分野】
【０００１】
本発明は、クッション材の表面に表皮材が被覆された身体支持体を備えた椅子に関するものである。
【背景技術】
【０００２】
例えばオフィスで多用されている椅子は、背もたれと座とを必須の要素にしている。背もたれや座などの身体支持体は、フィット性やクッション性を確保すべく、身体に当たる部位にスポンジやウレタンフォームのようなクッション材を備えている。通常、クッション材は、布やビニールレザー等の表皮材で被覆されている。
【０００３】
また、特許文献１には、使用者の身体が当たっていないニュートラル状態と、使用者の体圧が大きく掛かっているロッキング状態とで、背もたれの形状が変化する椅子が開示されている。特許文献１では、背もたれが複数のエリアに分割され、隣り合うエリアを構成するエレメント同士が相対回動できるようにヒンジ部を介して繋がっている。また、背もたれの身体支持表面には、隣り合うエレメント同士を区画する溝が形成されている。そして、サイドエリアに位置したエレメント（サイドエレメント）がロッキングに連動して溝に沿って回動する（屈曲する）ことで、着座者の快適性が向上されている。
【先行技術文献】
【特許文献】
【０００４】
【特許文献１】特開２０１７−８６３７２号公報
【発明の概要】
【発明が解決しようとする課題】
【０００５】
一般に、椅子における身体支持体は表皮材で被覆されたクッション材を備えているが、身体支持体がその身体支持表面に形成された溝に沿って繰り返し屈曲されると、当該溝の端部において表皮材とクッション材との剥離が発生する可能性があり、改善の余地があった。なお、このような剥離は、表皮材がビニールレザー等の伸縮性が低い皮革で構成されている場合に、特に懸念される。
【０００６】
本発明は、このような現状を改善すべく成されたものであり、身体支持体が変形可能に構成されている椅子において、表皮材とクッション材との剥離を抑制することを目的とする。
【課題を解決するための手段】
【０００７】
本発明の椅子は、クッション材の表面に表皮材が被覆された身体支持体を備え、前記身体支持体は人の身体の当たる側の身体支持表面に形成された溝に沿って変形可能に構成されている椅子であって、前記身体支持体の外周部に、前記溝の端部を塞ぐ壁部が形成されているものである。ここで、「溝に沿った変形」には、「屈曲」のみならず「湾曲」などの変形も含まれる。
【０００８】
従来技術において、表皮材とクッション材との剥離は、身体支持体の外周部に開口する溝端部を基点として発生し易い。そこで、本発明の椅子では、身体支持体の外周部に、上記溝の端部を塞ぐ壁部を設けることで、上記溝の端部が身体支持体の外周部に開口していないようにして溝端部における表皮材とクッション材との剥離を抑制し、ひいては身体支持体全体での表皮材とクッション材との剥離を抑制できる。
【０００９】
また、表皮材とクッション材の剥離対策として、上記溝を全て埋めることも考えられるが、この場合、意匠面への影響が大きい。本発明の椅子では、溝全体を埋めることなく、溝の端部を塞ぐ壁部を設けることで、表皮材とクッション材との剥離を抑制できるので、良好な品質で溝による意匠を実現できる。
【００１０】
本発明の椅子において、例えば、前記壁部の壁頂部は、前記身体支持表面と面一に形成されているようにしてもよい。
【００１１】
この態様によれば、壁部の壁頂部が身体支持表面と面一に形成されていることで、溝端部の近傍において身体支持体の外周部に段差が無い外観を形成でき、良好な美観が得られる。
【００１２】
また、本発明の椅子において、例えば、前記溝の前記端部は、前記壁部に向かって徐々に浅く形成されているようにしてもよい。
【００１３】
この態様によれば、上記溝の端部において、上記溝に沿った身体支持体の変形動作に伴って応力が集中する箇所を無くすことができ、表皮材とクッション材との剥離を良好に抑制できる。また、溝端部における応力の集中箇所を無くせることから、溝を深くしても溝端部での上記剥離を抑制でき、溝深さに関する設計の自由度が向上する。
【００１４】
また、本発明の椅子において、例えば、前記表皮材は、皮革で形成されているようにしてもよい。ここで、皮革は、ビニールレザーなどの合成皮革や、人工皮革、天然皮革などを含む。ただし、本発明において、表皮材の材料は皮革に限定されず、例えば織物や編物、不織布など布であってもよい。
【００１５】
この態様によれば、表皮材として、例えば布よりも伸縮性が高いビニールレザー等の皮革を用いる場合であっても、表皮材とクッション材との剥離発生の基点になり易い箇所（身体支持体の外周部に開口する溝端部）が無いので、表皮材とクッション材との剥離を抑制できる。また、溝全体を埋めることなく表皮材とクッション材との剥離を抑制できるので、身体保持体の表皮材が布製のものと皮革製のものとで同様の外観に形成でき、デザインの統一性を損なうことなく、同一機種のバリエーションを増やすことができる。
【００１６】
また、本発明の椅子において、例えば、前記クッション材と前記表皮材は、インサート成形によって接着されているようにしてもよい。
【００１７】
この態様によれば、表皮材が上記溝の内部に入り込むと共に全体として張った状態でクッション材に接着されるので、表皮材とクッション材とが強固に接着されると共に、良好な美観を有する身体保持体が得られる。
【発明の効果】
【００１８】
本発明は、身体支持表面に形成された溝に沿って変形可能に構成されている椅子において、表皮材とクッション材との剥離を抑制できる。
【図面の簡単な説明】
【００１９】
【図１】実施形態に係る椅子の外観を示す図で、（Ａ）は前から見た全体の斜視図、（Ｂ）は平面図、（Ｃ）は後ろから見た斜視図である。
【図２】実施形態に係る椅子の外観を示す図で、（Ａ）は正面図、（Ｂ）は背面図、（Ｃ）は側面図、（Ｄ）は背もたれのみの正面図である。
【図３】背もたれを示す図で、（Ａ）は背アウターシェルを表示した斜視図、（Ｂ）は背アウターシェルを省略した斜視図である。
【図４】（Ａ）は背もたれの分離斜視図、（Ｂ）は背クッション体を後ろから見た斜視図である。
【図５】背もたれの構成要素の分離斜視図である。
【図６】（Ａ）は背クッション体の正面図、（Ｂ）は（Ａ）のＢ−Ｂ視断面図である。
【図７】図６（Ａ）のＡ−Ａ視断面図である。
【図８】変形例を示す図であり、図６（Ａ）のＡ−Ａ位置に対応する断面図である。
【発明を実施するための形態】
【００２０】
次に、本発明の実施形態を図面に基づいて説明する。本実施形態は，オフィス用に多用されている回転椅子に適用している。以下の説明で、方向を特定するため前後・左右の文言を使用するが、これは、椅子に普通に腰掛けた人から見た状態として定義している。正面視は、椅子の着座者と対向した姿勢である。
【００２１】
まず、図１〜５に基づいて椅子の概要を説明する。椅子の基本構成は従来と同様であり、図１，２に示すように、主要構成要素として脚装置１、座２、背もたれ３を備えている。なお、図示は省略するが、この実施形態の椅子には、オプション品として、肘掛け装置やハンガー、ヘッドレスト等を装着可能である。
【００２２】
脚装置１はガスシリンダより成る脚支柱７を有している。脚支柱７は、放射状に広がる複数本の枝アーム８で支持されている。各枝アーム８の先端にはキャスタを設けている。図２に示すように、脚支柱７の上端には固定ベース９が取り付けられており、固定ベース９のうち脚支柱７よりも手前側の部位に、傾動ベース１０が左右横長の支軸１１によって連結されている。これら固定ベース９と傾動ベース１０とを主要部材として、座２と背もたれ３とが取り付くベース部が構成されている。
【００２３】
固定ベース９と傾動ベース１０とによって、座２が取り付く座受け部材（図示省略）が支持されている。また、傾動ベース１０に、背もたれ３が取り付く背支持フレーム１３を固定している。従って、背もたれ３は、傾動ベース１０と一緒にロッキングする。図示していないが、固定ベース９の内部には、ロッキングに対して抵抗を付与するロッキングばねが配置されている。
【００２４】
また、座２は、合成樹脂製の座インナーシェル（図示省略）の上面に座クッション体１７を張った構造である。座クッション体１７は、スポンジやウレタンフォームのような座クッション材１８と、座クッション材１８の表面を被覆するビニールレザー等の座表皮材１９を備えている。
【００２５】
背もたれ３は、主要要素として、背アウターシェル２３とその手前に配置された背クッション体２４とを備えている。背もたれ３は、身体支持体の一例である。図２（Ｄ）に明示するように、背もたれ３は（或いは、背アウターシェル２３及び背クッション体２４は、左右方向にはセンターエリア２５と左右のサイドエリア２６の３つのエリアに分かれていて、上下方向には、上段エリア２７と中段エリア２８と下段エリア２９との３段のエリアに分かれている。
【００２６】
従って、背もたれ３は、上段センターエレメントａ、中段センターエレメントｂ、下段センターエレメントｃ、左右の上段サイドエレメントｄ、左右の中段サイドエレメントｅ、左右の下段サイドエレメントｆの９枚のエレメントに分かれている。エレメントａ〜ｆは背アウターシェル２３と背クッション体２４とに共通した区分であり、背もたれ３の全体としてエレメントとして表示する場合は、単にａ〜ｆの符号を引用する。他方、背アウターシェル２３及び背クッション体２４の要素としてのエレメントを個別に表示する必要がある場合は、２３，２４に符号ａ〜ｆを付記している。
【００２７】
つまり、背アウターシェル２３は、上段センターエレメント２３ａ、中段センターエレメント２３ｂ、下段センターエレメント２３ｃ、上段サイドエレメント２３ｄ、中段サイドエレメント２３ｅ、下段サイドエレメント２３ｆに区分される。同様に、背クッション体２４は、上段センターエレメント２４ａ、中段センターエレメント２４ｂ、下段センターエレメント２４ｃ、上段サイドエレメント２４ｄ、中段サイドエレメント２４ｅ、下段サイドエレメント２４ｆに区分される。
【００２８】
詳細は後述するが、背クッション体２４において、隣り合ったエレメント２４ａ〜２４ｆの境界部には、前向きに開口した溝３０が形成されている。溝３０の個所は薄肉のヒンジ部になっている。従って、背クッション体２４は単一の部材として製造されつつ、隣り合ったエレメント２４ａ〜２４ｆは溝３０によって区分されている。
【００２９】
上段センターエレメントａと下段センターエレメントｃとはやや横長の台形であり、中段センターエレメントｂは縦横が同じ程度の逆台形である。また、上段サイドエレメントｄは概ね逆台形であり、中段サイドエレメントｅは上下に長い台形であり、下段サイドエレメントｆは逆三角形である。従って、背もたれ３は、正面視で、上段エリア２７と中段エリア２８とによって窄まる形態になって、中段エリア２８と下段エリア２９とによって膨れた形態になっている。なお、背もたれ３は、正面視で全体として縦長の長方形状や逆台形状等に形成することは可能である。
【００３０】
また、各サイドエレメントｄ〜ｆは，各センターエレメントａ〜ｃに対して手前に向くように傾いている。すなわち、サイドエレメントｄ〜ｆは、着座者の身体を包むように傾斜している。従って、背もたれ３は、平面視では前向き凹の形態を成している。他方、背もたれ３は、側面視では、中段エリア２８と下段エリア２９とによって前向き凸の山形が形成されている。このため、背クッション材中段センターエレメント２４ｂと背クッション材下段センターエレメント２４ｃとにより、着座者の腰部（腰椎部）を支える凸部Ｌが形成されている。
【００３１】
他方、上段エリア２７と中段エリア２８とは、側面視において少し前向き凹部状に屈曲している。上段センターエレメントａと中段センターエレメントｂとは、平坦状の形態と成したり、逆に、側面視で前向き凸状に屈曲させたりすることも可能である。
【００３２】
背アウターシェル２３及び背クッション体２４とも、上段センターエレメント２３ａ，２４ａと中段センターエレメント２３ｂ，２４ｂとは相対回動不能に一体化している。従って、背クッション体２４において、上段センターエレメント２４ａと中段センターエレメント２４ｂとの境界部に形成された溝３０はデザイン的な意味のものであり、この部分で屈曲するものではない。背アウターシェル２３及び背クッション体２４とも、他の隣り合ったエレメントは相対回動可能に繋がっている。
【００３３】
背支持フレーム１３は金属ダイキャスト品又は樹脂成形品であり、背もたれ３の後ろにおいて上向きに延びる背支柱１３ａを有している。そして、背支柱１３ａの上端に、背アウターシェル中段センターエレメント２３ｂが左右横長のピンで連結されている。従って、ロッキング時に、背支柱１３ａは背もたれ３とは相対回動する。
【００３４】
本実施形態では、人が背もたれ３にもたれ掛かっていないニュートラル状態を基準にして、着座者が、中段センターエレメントｂと下段センターエレメントｃとからなる凸部Ｌのみに腰部を当てると、中段センターエレメントｂと下段センターエレメントｃとは側面視で偏平な状態に伸びるように広がり変形し、かつ、サイドエレメントｄ，ｅ，ｆは、着座者の身体を包み込む方向に回動する。
【００３５】
他方、着座者が中段センターエレメントｂと上段センターエレメントａとにもたれ掛かったロッキング状態では、サイドエレメントｄ，ｅ，ｆは、センターエレメントａ，ｂ，ｃに対する夾角を広げるように回動する。すなわち、背もたれ３は、平面視で平坦な状態に向かうように広がり変形する。ロッキング時には、中段センターエレメントｂと下段センターエレメントｃとは、偏平な状態に近づくように相対回動する。従って、ロッキング時には、背もたれ３は全体として偏平な方向に変形する。
【００３６】
背もたれ３は、図３，４に示すような樹脂製の背インナーシェル４２を備えている。背インナーシェル４２は、前後に開口したフレーム構造になっており、背クッション体２４は、インサート成形により、背インナーシェル４２に固着（接着）されている。また、背クッション体２４は、既述の溝３０によって、各エレメント２４ａ〜２４ｆに区分されている。換言すると、溝３０の個所の薄肉部が、エレメント２４ａ〜２４ｆの相互屈曲を許容するヒンジ部になっている。但し、上段センターエレメント２４ａと中段センターエレメント２４ｂとは屈曲しないので、両者の間に位置した左右横長の溝３０は、意匠的な目的で設けられている。
【００３７】
背インナーシェル４２は、背クッション体２４の外周部の背面に重なるループ形態の周枠部４３と、中段エレメント２４ｂ，２４ｅの上端部に重なる左右長手の横長ジョイント部４４と、周枠部４３の上端部と横長ジョイント部４４とに繋がった額状部４５とから成っている。また、背インナーシェル４２のうち溝３０（ヒンジ部）の個所には、隣り合ったエレメント２４ａ〜２４ｆが相対回動することを許容するため、側面視波形で正面視ジグザグ状のヒンジ部４６を形成している。
【００３８】
既述のとおり、背クッション体２４は背インナーシェル４２にインサート成形されている。そして、背インナーシェル４２が、図示しないクリップによって背アウターシェル２３に連結されている。例えば図５において、背インナーシェル４２には多数の貫通穴４７が表示されているが、この貫通穴４７は、クリップを取り付けるためのものである。他方、同じ図５において、背アウターシェル２３に、前向き突出したリブ状突起を符号４９で多数表示しているが、このリブ状突起４９にクリップが装着される。
【００３９】
図５から理解できるように、背アウターシェル２３は、上段センターエレメント２３ａと中段センターエレメント２３ｂとが一体であるのを除いて、各エレメント２３ａ〜２３ｆは別体の構造になっている。そして、隣り合ったエレメント２３ａ〜２３ｆは、エラストマーよりなるバンドヒンジ５５によって一体に繋がっている。バンドヒンジ５５は、二色成形法又はインサート成形法によって形成されている。また、バンドヒンジ５５は、エレメント２３ａ〜２３ｆの前面に重なっており、かつ、バンドヒンジ５５は少し裏側に露出している。このため、背アウターシェル２３の裏面には、バンドヒンジ５５の個所が溝の状態になって表れている。
【００４０】
背アウターシェル２３を構成する下段センターエレメント２３ｃの下端は、座２が取り付いている座アウターシェル２０（図２（Ｃ）参照。）の後端に相対回動可能に連結されている。このような背もたれ３と座２との連結により、背もたれ３の姿勢が保持されている。また、背もたれ３と座２とが連結されていることにより、ロッキング時にセンターエレメントａ〜ｃが上下方向に引っ張られ、これに伴って、サイドエレメントｄ〜ｆが回動する。これに類似した構成は、特表２０１５−５１９１１１号公報に開示されている。
【００４１】
図６，７も参照しながら説明すると、上述のように、背クッション体２４は９枚のエレメント２４ａ〜２４ｆで構成されている。背クッション体２４は、スポンジやウレタンフォームなどの弾性材料からなる背クッション材３１と、背クッション材３１の表面を被覆する背表皮材３２を備えている。なお、背クッション材３１の背面側には上述の背インナーシェル４２がインサート成形によって一体化されているが、図６，７では、背インナーシェル４２の図示は省略されている。
【００４２】
背クッション材３１のうち、身体支持表面３３と外周部３４は背表皮材３２で被覆されている。ここで、身体支持表面３３は、着座者の身体の当たる側の表面（前面）である。この実施形態では、背表皮材３２は、皮革の一例としてのビニールレザーで形成されており、インサート成形によって背クッション材３１に一体に接着されている。従って、背表皮材３２は、背クッション材３１の身体支持表面３３及び外周部３４の全体に、張った状態で接着される。なお、背表皮材３２は、ビニールレザーに限らず、他の合成皮革や人工皮革、天然皮革であってもよいし、織物や編物、不織布など布であってもよい。
【００４３】
図６，７に明示するように、背クッション体２４の身体支持表面３３及び外周部３４は、皺がなく張った状態の背表皮材３２で構成されている。また、各エレメント２４ａ〜２４ｆは、身体支持表面３３に形成された溝３０によって区分されている。そして、溝３０の個所にも背表皮材３２が入り込んでいる。上述のように、背クッション体２４は、身体支持表面３３に形成された溝３０に沿って屈曲又は湾曲可能（変形可能）に構成されている。
【００４４】
溝３０は、大雑把には、底部に丸みを持たせた略Ｖ字状であり、開口縁の幅よりも底部の幅が小さくなっている。また、深さ寸法は、背クッション体２４の厚さ寸法の半分程度よりもやや短い寸法に設定されている。深さ寸法は、おまかには、背クッション体２４の厚さ寸法の１／４〜１／２程度でよいと云える。座クッション体１７についても同様である。
【００４５】
背クッション体２４の各エレメント２４ａ〜２４ｆは、平坦面と周囲の裾部とを有して上辺が下辺よりも長い略台形状（或いは高原状）の形態になっている。従って、着座者の身体に当たる部分は基本的にフラットになっている。この点は、座クッション体１７も同様である。なお、エレメント２４ａ〜２４ｆの外周部は、角張っていてもよいし丸みを帯びていてもよい。
【００４６】
図６，７に明示するように、背クッション体２４の外周部３４に、溝３０の端部３０ａを塞ぐ壁部３５が形成されている。壁部３５は、溝３０の端部３０ａが背クッション体２４の外周部３４に開口しないように、溝３０の端部３０ａを塞いでいる。
【００４７】
溝３０の端部が背クッション体２４の外周部３４に開口していると、その開口箇所を基点として、背表皮材３２と背クッション材３１との剥離が発生し易い。そこで、この実施形態では、背クッション体２４の外周部３４に、溝３０の端部３０ａを塞ぐ壁部３５を設けることで、溝３０の端部３０ａが背クッション体２４の外周部３４に開口していないようにしている。これにより、溝３０の端部３０ａにおける背表皮材３２と背クッション材３１との剥離が抑制され、ひいては背クッション体２４全体での背表皮材３２と背クッション材３１との剥離が抑制される。
【００４８】
この実施形態では、溝３０の端部が背クッション体２４の外周部３４に開口する構成において背表皮材３２と背クッション材３１との剥離発生の基点になり易い箇所（背クッション体２４の外周部３４に開口する溝端部）が無いので、背表皮材３２と背クッション材３１との剥離を抑制できる。また、溝３０全体を埋めることなく背表皮材３２と背クッション材３１との剥離を抑制できるので、良好な品質で溝３０による意匠を実現できる。さらに、背表皮材３２と背クッション材３１との剥離を抑制しながら、背クッション体２４の背表皮材３２が布製のものと皮革製のものとで同様の外観に形成でき、デザインの統一性を損なうことなく、同一機種のバリエーションを増やすことができる。
【００４９】
また、この実施形態では、背表皮材３２として、布に比べて伸縮性が高いビニールレザー（皮革の一例）を採用しており、溝３０においてビニールレザーがまっすぐの状態に（身体支持表面３３側へ）戻ろうとする力が比較的強い。例えば、溝３０の端部が背クッション体２４の外周部３４に開口する構成においては、背表皮材３２としてビニールレザーを採用すると、上記剥離の発生の懸念がより一層高まる。この懸念に対して、この実施形態では、上記剥離発生の基点になり易い箇所を無くすことで、背表皮材３２としてビニールレザーを採用しても、背表皮材３２と背クッション材３１との剥離を抑制できる。つまり、この実施形態は、背表皮材３２としてビニールレザーのような伸縮性の高い素材を採用する場合により好適である。なお、背表皮材３２として、布に比べて伸縮性が同等か低い合成皮革や人工皮革、天然皮革を採用してもよい。
【００５０】
また、この実施形態では、壁部３５の壁頂部３５ａは、身体支持表面３３と面一に形成されている。これにより、溝３０の端部３０ａの近傍において背クッション体２４の外周部３４に段差が無い外観を形成でき、良好な美観が得られる。
【００５１】
また、この実施形態では、図７に明示するように、溝３０の端部３０ａは、壁部３５に向かって徐々に浅く形成されている。つまり、溝３０の端部３０ａの底面は、壁部３５側ほど身体支持表面３３に近づくように傾斜している。例えば、溝３０の端部が背クッション体２４の外周部３４に開口する構成では、溝３０の端部が外周部３４のまっすぐの部分と隣接することになるので背表皮材３２と背クッション材３１との剥離が発生し易くなる。これに対して、この実施形態では、溝３０の端部３０ａの底面が壁部３５側ほど身体支持表面３３に近づくように傾斜していることで、溝３０の端部３０ａにおいて、溝３０に沿った背クッション体２４の屈曲動作に伴って応力が集中する箇所を無くすことができ、背表皮材３２と背クッション材３１との剥離を良好に抑制できる。また、溝３０の端部３０ａにおける応力の集中箇所を無くせることから、溝３０を深くしても端部３０ａでの上記剥離を抑制でき、溝３０の深さに関する設計の自由度が向上する。
【００５２】
なお、図８に示すように、溝３０の端部３０ａにおいて溝３０の長手方向と交差する壁面が身体支持表面３３に対して略鉛直方向に形成されて、溝３０全体がほぼ同じ深さで形成されているようにしてもよい。この変形例においても、壁部３５は、溝３０の端部３０ａが背クッション体２４の外周部３４に開口しないように、溝３０の端部３０ａを塞いでいる。従って、溝３０の端部３０ａにおける背表皮材３２と背クッション材３１との剥離が抑制され、ひいては背クッション体２４全体での背表皮材３２と背クッション材３１との剥離が抑制される。
【００５３】
以上、本発明の実施形態を説明したが、本発明は他にも様々に具体化でき、本発明の趣旨を逸脱しない範囲で、種々の変更が可能である。
【００５４】
例えば、本発明は、クッション材の表面に表皮材が被覆された身体支持体を備え、その身体支持体は人の身体の当たる側の身体支持表面に形成された溝に沿って屈曲可能に構成されている椅子に関するものであるが、ここで、椅子とは人が腰掛けるものを総称している。従って、ベンチや車椅子なども含まれる。また、身体支持体には、背もたれの他に、座や、オプション品としてのヘッドレスト、肘当て、ショルダーレストなどが含まれる。
【符号の説明】
【００５５】
２４  背クッション体（身体支持体）
３０  溝
３０ａ  端部
３１  背クッション材（クッション材）
３２  背表皮材（表皮材）
３３  身体支持表面
３４  外周部
３５  壁部
３５ａ  壁頂部
【図１】
2019083959.tif 000003
【図２】
2019083959.tif 000004
【図３】
2019083959.tif 000005
【図４】
2019083959.tif 000006
【図５】
2019083959.tif 000007
【図６】
2019083959.tif 000008
【図７】
2019083959.tif 000009
【図８】
2019083959.tif 000010